(57)【要約】  診断効率の低下を防ぐ。  端末装置４Ａは、検査装置５Ａから取得した画像データを一時的に記憶する１次ＤＢを有し、この画像データをデータ管理サーバ１のセンターＤＢにバックアップするために、データ管理サーバ１に送信する。また、端末装置４Ａは、１次ＤＢ内の画像データを、所定期間が経過した場合に削除する。端末装置４Ａは、１次ＤＢとセンターＤＢとを対象として画像データの検索を行い、１次ＤＢに記憶されている画像データについては１次ＤＢから取得し、当該１次ＤＢから取得した画像データに基づいて画像を表示し、１次ＤＢに記憶されていない画像データについてはセンターＤＢから取得し、当該センターＤＢから取得した画像データに基づいて画像を表示する。
2012081405.tif 000002
【特許請求の範囲】
【請求項１】
検査装置から画像データを取得する取得手段と、
前記検査装置から取得された画像データを一時的に記憶する第１の記憶手段と、
前記第１の記憶手段に記憶された画像データを、通信ネットワークを介してデータ通信可能に接続されたデータ管理サーバが備える第２の記憶手段に記憶させるために前記データ管理サーバに送信する送信手段と、
所定の条件を満たした場合に、前記第１の記憶手段に記憶された画像データを前記第１の記憶手段から削除する削除手段と、
前記第１の記憶手段と前記第２の記憶手段とを対象として画像データの検索を行い、前記第１の記憶手段に記憶されている画像データについては前記第１の記憶手段から取得し当該第１の記憶手段から取得した画像データに基づいて表示手段に画像を表示させ、前記第１の記憶手段に記憶されていない画像データについては前記第２の記憶手段から取得し当該第２の記憶手段から取得した画像データに基づいて前記表示手段に画像を表示させる表示制御手段と、
を備える情報処理装置。
【請求項２】
前記削除手段は、前記第１の記憶手段に画像データが記憶されてから予め定められた期間が経過した場合に、当該画像データを前記第１の記憶手段から削除する、
請求項１に記載の情報処理装置。
【請求項３】
当該情報処理装置により行われる処理は、前記データ管理サーバからダウンロードされたアプリケーションプログラムに従って行われるものであり、
前記ダウンロードされたアプリケーションプログラムより新しいアプリケーションプログラムが前記データ管理サーバに存在する場合には、当該新しいアプリケーションプログラムを前記データ管理サーバからダウンロードするプログラム更新手段を備える、
請求項１又は２に記載の情報処理装置。
【請求項４】
検査装置から取得された画像データを一時的に記憶する第１の記憶手段を有する情報処理装置と、当該情報処理装置から送信された画像データを記憶する第２の記憶手段を有するデータ管理サーバと、が通信ネットワークを介してデータ通信可能に接続されたデータ管理システムであって、
前記情報処理装置は、
前記第１の記憶手段に記憶された画像データを、前記第２の記憶手段に記憶させるために前記データ管理サーバに送信する送信手段と、
所定の条件を満たした場合に、前記第１の記憶手段に記憶された画像データを前記第１の記憶手段から削除する削除手段と、
前記第１の記憶手段と前記第２の記憶手段とを対象として画像データの検索を行い、前記第１の記憶手段に記憶されている画像データについては前記第１の記憶手段から取得し当該第１の記憶手段から取得した画像データに基づいて表示手段に画像を表示させ、前記第１の記憶手段に記憶されていない画像データについては前記第２の記憶手段から取得し当該第２の記憶手段から取得した画像データに基づいて前記表示手段に画像を表示させる表示制御手段と、
を備えるデータ管理システム。
【請求項５】
前記削除手段は、前記第１の記憶手段に画像データが記憶されてから予め定められた期間が経過した場合に、当該画像データを前記第１の記憶手段から削除する、
請求項４に記載のデータ管理システム。
【請求項６】
前記情報処理装置により行われる処理は、前記データ管理サーバからダウンロードされたアプリケーションプログラムに従って行われるものであり、
前記情報処理装置は、前記ダウンロードされたアプリケーションプログラムより新しいアプリケーションプログラムが前記データ管理サーバに存在する場合には、当該新しいアプリケーションプログラムを前記データ管理サーバからダウンロードするプログラム更新手段を備える、
請求項４又は５に記載のデータ管理システム。
【請求項７】
前記データ管理サーバは、前記第２の記憶手段に記憶されている画像データのデータ量及び前記アプリケーションプログラムの使用回数に基づいて、前記情報処理装置における当該データ管理システムの利用に係る料金を算出する料金算出手段を備える、
請求項６に記載のデータ管理システム。
【発明の詳細な説明】
【技術分野】
【０００１】
本発明は、情報処理装置及びデータ管理システムに関する。
【背景技術】
【０００２】
近年、医療の分野においては、放射線等によって撮影された医用画像をデジタルデータとして保存するシステムが利用されている。通常、医用画像は、病院内に設置された画像管理サーバに格納され、クライアント端末において、画像管理サーバ内の画像データをロードして画像を表示している。【０００３】
ところが、病院内に画像管理サーバを設置する場合、サーバとして動作するための高価で高スペックのＰＣ（Personal Computer）が必要となり、画像管理サーバを導入する際にコストがかかる。また、病院内のデータを外部から閲覧するためには、常に画像管理サーバを稼動させておく必要があり、画像管理サーバの電源が切られていると、画像を閲覧することができない。【０００４】
そこで、各医療施設でのデータの保管・管理における負担を軽減させるために、医療施設で撮影された医用画像データ等の医療データを、ネットワークを介して接続されたデータセンターに送信し、データセンターにおいて医療データを蓄積し管理する医療データ保管システムが提案されている（特許文献１、特許文献２参照）。
【先行技術文献】
【特許文献】
【０００５】
【特許文献１】特開２００５−２６７５４９号公報
【特許文献２】特開２００５−２６７５５１号公報
【発明の概要】
【発明が解決しようとする課題】
【０００６】
しかしながら、高速でない通信回線により接続された画像管理サーバに医用画像データが保存されている場合には、画像を表示させるのに時間がかかり、診断効率が低下してしまうという問題があった。【０００７】
本発明は、上記の従来技術における問題に鑑みてなされたものであって、診断効率の低下を防ぐことを課題とする。
【課題を解決するための手段】
【０００８】
上記課題を解決するために、請求項１に記載の発明は、検査装置から画像データを取得する取得手段と、前記検査装置から取得された画像データを一時的に記憶する第１の記憶手段と、前記第１の記憶手段に記憶された画像データを、通信ネットワークを介してデータ通信可能に接続されたデータ管理サーバが備える第２の記憶手段に記憶させるために前記データ管理サーバに送信する送信手段と、所定の条件を満たした場合に、前記第１の記憶手段に記憶された画像データを前記第１の記憶手段から削除する削除手段と、前記第１の記憶手段と前記第２の記憶手段とを対象として画像データの検索を行い、前記第１の記憶手段に記憶されている画像データについては前記第１の記憶手段から取得し当該第１の記憶手段から取得した画像データに基づいて表示手段に画像を表示させ、前記第１の記憶手段に記憶されていない画像データについては前記第２の記憶手段から取得し当該第２の記憶手段から取得した画像データに基づいて前記表示手段に画像を表示させる表示制御手段と、を備える情報処理装置である。【０００９】
請求項２に記載の発明は、請求項１に記載の情報処理装置において、前記削除手段は、前記第１の記憶手段に画像データが記憶されてから予め定められた期間が経過した場合に、当該画像データを前記第１の記憶手段から削除する。【００１０】
請求項３に記載の発明は、請求項１又は２に記載の情報処理装置において、当該情報処理装置により行われる処理は、前記データ管理サーバからダウンロードされたアプリケーションプログラムに従って行われるものであり、前記ダウンロードされたアプリケーションプログラムより新しいアプリケーションプログラムが前記データ管理サーバに存在する場合には、当該新しいアプリケーションプログラムを前記データ管理サーバからダウンロードするプログラム更新手段を備える。【００１１】
請求項４に記載の発明は、検査装置から取得された画像データを一時的に記憶する第１の記憶手段を有する情報処理装置と、当該情報処理装置から送信された画像データを記憶する第２の記憶手段を有するデータ管理サーバと、が通信ネットワークを介してデータ通信可能に接続されたデータ管理システムであって、前記情報処理装置は、前記第１の記憶手段に記憶された画像データを、前記第２の記憶手段に記憶させるために前記データ管理サーバに送信する送信手段と、所定の条件を満たした場合に、前記第１の記憶手段に記憶された画像データを前記第１の記憶手段から削除する削除手段と、前記第１の記憶手段と前記第２の記憶手段とを対象として画像データの検索を行い、前記第１の記憶手段に記憶されている画像データについては前記第１の記憶手段から取得し当該第１の記憶手段から取得した画像データに基づいて表示手段に画像を表示させ、前記第１の記憶手段に記憶されていない画像データについては前記第２の記憶手段から取得し当該第２の記憶手段から取得した画像データに基づいて前記表示手段に画像を表示させる表示制御手段と、を備える。【００１２】
請求項５に記載の発明は、請求項４に記載のデータ管理システムにおいて、前記削除手段は、前記第１の記憶手段に画像データが記憶されてから予め定められた期間が経過した場合に、当該画像データを前記第１の記憶手段から削除する。【００１３】
請求項６に記載の発明は、請求項４又は５に記載のデータ管理システムにおいて、前記情報処理装置により行われる処理は、前記データ管理サーバからダウンロードされたアプリケーションプログラムに従って行われるものであり、前記情報処理装置は、前記ダウンロードされたアプリケーションプログラムより新しいアプリケーションプログラムが前記データ管理サーバに存在する場合には、当該新しいアプリケーションプログラムを前記データ管理サーバからダウンロードするプログラム更新手段を備える。【００１４】
請求項７に記載の発明は、請求項６に記載のデータ管理システムにおいて、前記データ管理サーバは、前記第２の記憶手段に記憶されている画像データのデータ量及び前記アプリケーションプログラムの使用回数に基づいて、前記情報処理装置における当該データ管理システムの利用に係る料金を算出する料金算出手段を備える。
【発明の効果】
【００１５】
請求項１、２、４、５に記載の発明によれば、第１の記憶手段に記憶されている画像データについては第１の記憶手段から取得し、第１の記憶手段に記憶されていない画像データについては第２の記憶手段から取得するので、画像の表示に要する時間を抑えることができ、診断効率の低下を防ぐことができる。【００１６】
請求項３、６に記載の発明によれば、常に最新のアプリケーションプログラムを使用することができる。【００１７】
請求項７に記載の発明によれば、情報処理装置におけるデータ管理システムの利用に応じて料金を算出することができる。
【図面の簡単な説明】
【００１８】
【図１】データ管理システムのシステム構成図である。
【図２】データ管理サーバの機能的構成を示すブロック図である。
【図３】センターＤＢ内の施設情報テーブルの例である。
【図４】センターＤＢ内の画像情報テーブルの例である。
【図５】医療施設Ａ内の端末装置の機能的構成を示すブロック図である。
【図６】１次ＤＢ内の施設情報テーブルの例である。
【図７】１次ＤＢ内の画像情報テーブルの例である。
【図８】端末装置により実行されるアプリケーション起動時処理を示すフローチャートである。
【図９】端末装置により実行される画像取り込み処理を示すフローチャートである。
【図１０】受付患者リスト画面の例である。
【図１１】ビューア画面の例である。
【図１２】端末装置により実行される画像表示処理を示すフローチャートである。
【図１３】ビューア画面の例である。
【図１４】データ管理サーバにより実行される料金算出処理を示すフローチャートである。
【発明を実施するための形態】
【００１９】
以下、図面を参照して本発明に係るデータ管理システムの一実施形態について説明する。ただし、発明の範囲は、図示例に限定されない。
【００２０】
〔データ管理システムの構成〕
図１に、本実施の形態におけるデータ管理システム１００のシステム構成を示す。
図１に示すように、データ管理システム１００は、地域のデータセンターに設置されたデータ管理サーバ１と、医療施設Ａに設けられた施設内システム２Ａと、医療施設Ｂに設けられた施設内システム２Ｂと、・・・を備えて構成されている。データ管理サーバ１、施設内システム２Ａ、施設内システム２Ｂ、・・・は、インターネット等の通信ネットワークＮを介してデータ通信可能に接続されている。
【００２１】
データ管理サーバ１は、各医療施設において生成された医用画像の画像データを蓄積し管理する。また、データ管理サーバ１は、医療施設間の医療連携サービスを提供するものであり、各施設内システム２Ａ，２Ｂ，・・・から他の施設内システムにおける検査や読影の依頼を受け付け、検査結果や読影結果のデータを管理する。
【００２２】
施設内システム２Ａは、受付装置３Ａ、端末装置４Ａ、検査装置５Ａ及びルータ６Ａを備え、受付装置３Ａ、端末装置４Ａ及びルータ６Ａは、ＬＡＮ（Local Area Network）等の施設内ネットワーク７Ａにより相互にデータ通信可能に接続されて構成されている。施設内システム２Ａを構成する装置のうち、少なくとも端末装置４Ａは、ルータ６Ａにより通信ネットワークＮを介してデータ管理サーバ１とデータ通信可能に接続されている。
【００２３】
施設内システム２Ｂは、受付装置３Ｂ、端末装置４Ｂ、検査装置５Ｂ及びルータ６Ｂを備え、受付装置３Ｂ、端末装置４Ｂ及びルータ６Ｂは、ＬＡＮ等の施設内ネットワーク７Ｂにより相互にデータ通信可能に接続されて構成されている。施設内システム２Ｂを構成する装置のうち、少なくとも端末装置４Ｂは、ルータ６Ｂにより通信ネットワークＮを介してデータ管理サーバ１とデータ通信可能に接続されている。
【００２４】
なお、データ管理システム１００を構成する施設内システム２Ａ，２Ｂ等の施設内システム、各施設内システムの各装置の数は、特に限定されない。
【００２５】
〔データ管理サーバの構成〕
図２に、データ管理サーバ１の機能的構成を示す。
図２に示すように、データ管理サーバ１は、制御部１１、操作部１２、表示部１３、通信部１４、ＲＡＭ１５、記憶部１６等を備えて構成されており、各部はバス１７により接続されている。
【００２６】
制御部１１は、ＣＰＵ（Central Processing Unit）等から構成され、データ管理サーバ１の各部の処理動作を統括的に制御する。具体的には、ＣＰＵは、操作部１２から入力される操作信号又は通信部１４により受信される指示信号に応じて、記憶部１６に記憶されている各種処理プログラムを読み出してＲＡＭ１５に展開し、当該プログラムとの協働により各種処理を行う。
【００２７】
操作部１２は、カーソルキー、数字入力キー、及び各種機能キー等を備えたキーボードと、マウス等のポインティングデバイスを備えて構成され、キーボードに対するキー操作やマウス操作により入力された操作信号を制御部１１に出力する。
【００２８】
表示部１３は、ＬＣＤ（Liquid Crystal Display）等のモニタを備えて構成されており、制御部１１から入力される表示信号の指示に従って、各種画面を表示する。
【００２９】
通信部１４は、ネットワークインターフェース等により構成され、通信ネットワークＮを介して接続された外部機器との間でデータの送受信を行う。
【００３０】
ＲＡＭ１５は、制御部１１により実行制御される各種処理において、記憶部１６から読み出された各種プログラム、入力若しくは出力データ、及びパラメータ等を一時的に記憶するワークエリアを形成する。
【００３１】
記憶部１６は、ＨＤＤ（Hard Disk Drive）や半導体の不揮発性メモリ等により構成され、各種処理プログラム、当該プログラムの実行に必要なパラメータやファイル等を記憶している。具体的に、記憶部１６には、サーバプログラム１６１、センターＤＢ（DataBase）１６２、アプリケーションプログラム１６３等が記憶されている。
【００３２】
サーバプログラム１６１は、データ管理サーバ１におけるデータ管理処理、アプリケーションプログラム１６３や医療連携サービスを提供する処理、料金算出処理（図１４参照）等を実行するためのプログラムである。
【００３３】
センターＤＢ１６２には、施設情報テーブルＴ１（図３参照）及び画像情報テーブルＴ２（図４参照）が含まれる。また、センターＤＢ１６２には、各医療施設Ａ，Ｂ，・・・の端末装置４Ａ，４Ｂ，・・・から送信された画像データが格納されている。
【００３４】
図３は、センターＤＢ１６２内の施設情報テーブルＴ１の例である。施設情報テーブルＴ１には、データ管理システム１００内の医療施設に関する情報が格納されている。具体的に、施設情報テーブルＴ１には、医療施設毎に、施設ＩＤ、施設ＰＷ（PassWord）、ユーザＩＤ、ユーザＰＷ、施設名、ユーザ名、使用サービス種、使用機器名、機器号機Ｎｏ．、ソフト使用回数、データ保管容量、連携サービス使用回数、課金状態、使用停止フラグが格納されている。
【００３５】
施設ＩＤ及び施設ＰＷは、医療施設毎に定められた識別情報及びパスワードである。
ユーザＩＤ及びユーザＰＷは、ユーザ毎に定められた識別情報及びパスワードである。
使用サービス種は、データ管理システム１００の利用における課金のタイプを示す情報である。
使用機器名及び機器号機Ｎｏ．は、各医療施設において使用されている検査装置５Ａ，５Ｂ，・・・の機器名及び機器号機番号である。
ソフト使用回数は、各医療施設において、ソフトウェア（後述するアプリケーションプログラム４６１）が使用された回数（月毎、累積等）である。
データ保管容量は、記憶部１６のセンターＤＢ１６２に保管されている各医療施設のデータ容量（月毎、累積等）である。
連携サービス使用回数は、各医療施設において、連携サービス（他の医療施設への検査依頼や読影依頼等）が使用された回数（月毎、累積等）である。
課金状態は、各医療施設から料金が支払われているか否かを示す情報である。課金状態は、そのサービスプロバイダの別システム（販売物流システム等）から情報を取得することが可能となっている。
使用停止フラグは、各医療施設にデータ管理システム１００の使用を停止させるか否かを指定するためのフラグである。
【００３６】
図４は、センターＤＢ１６２内の画像情報テーブルＴ２の例である。画像情報テーブルＴ２は医療施設毎に用意されており、画像情報テーブルＴ２には、各医療施設で行われた検査に係る画像に関する情報が格納されている。具体的に、画像情報テーブルＴ２には、患者ＩＤ、検査ＩＤ、患者氏名、検査日時、画像種、１次ＤＢ有無、センターＤＢ有無、１次ＤＢ保管パス、センターＤＢ保管パスが格納されている。
【００３７】
患者ＩＤは、医療施設内での患者の識別情報である。
検査ＩＤは、検査の識別情報である。
患者氏名は、患者の氏名である。
検査日時は、検査が行われた日時である。
画像種は、画像の種類を示す情報であり、ＣＲ（Computed Radiography）、ＣＴ（Computed Tomography）、ＭＲＩ（Magnetic Resonance Imaging）等が挙げられる。
１次ＤＢ有無は、検査により生成された画像データが各医療施設の１次ＤＢ４６２（図５参照）内に保存されているか否かを示す情報である。
センターＤＢ有無は、検査により生成された画像データがセンターＤＢ１６２内に保存されているか否かを示す情報である。
１次ＤＢ保管パスは、検査により生成された画像データが各医療施設の１次ＤＢ４６２（図５参照）に保存されている場合の画像データの格納先を示す情報である。
センターＤＢ保管パスは、検査により生成された画像データがセンターＤＢ１６２に保存されている場合の画像データの格納先を示す情報である。
【００３８】
アプリケーションプログラム１６３は、施設内システム２Ａ，２Ｂ，・・・の端末装置４Ａ，４Ｂ，・・・がダウンロードするためのプログラムであり、バージョンアップされる度に新たなプログラムに置き換えられる。アプリケーションプログラム１６３は、端末装置４Ａ，４Ｂ，・・・に、リスト表示機能、ビューア機能、拡大・縮小・回転等の画像処理機能、計測機能、画像のフィルム・紙・メディアへの出力機能等を実現させるためのプログラムである。
【００３９】
制御部１１は、通信部１４により、端末装置４Ａ，４Ｂ，・・・から画像データ及び当該画像データの付帯情報（患者ＩＤ、検査ＩＤ、患者氏名、検査日時、画像種、１次ＤＢ保管パス等）を受信する。そして、制御部１１は、受信された画像データを記憶部１６のセンターＤＢ１６２に格納するとともに、受信された付帯情報（患者ＩＤ、検査ＩＤ、患者氏名、検査日時、画像種、１次ＤＢ保管パス等）に基づいて画像情報テーブルＴ２に新たなレコードを追加する。さらに、制御部１１は、画像情報テーブルＴ２の該当する検査の「１次ＤＢ有無」を「有り」とし、「センターＤＢ有無」を「有り」とし、「センターＤＢ保管パス」にセンターＤＢ１６２内の画像データの格納先を追加する。そして、制御部１１は、通信部１４を制御して、画像データがセンターＤＢ１６２に記憶された旨の通知及びセンターＤＢ１６２内の画像データの格納先を、画像データを送信した端末装置４Ａ，４Ｂ，・・・に対して送信させる。また、制御部１１は、画像データがセンターＤＢ１６２に保存されたことに伴い、新たに保存された画像データのデータ量に基づいて、施設情報テーブルＴ１の検査が行われた医療施設に対する「データ保管容量」を更新する。
【００４０】
制御部１１は、通信部１４により、各医療施設の端末装置４Ａ，４Ｂ，・・・から、画像データを１次ＤＢ４６２（図５参照）から削除した旨の通知を受信した場合に、該当する医療施設の画像情報テーブルＴ２において、該当する検査の「１次ＤＢ有無」を「無し」に変更し、「１次ＤＢ保管パス」から１次ＤＢ４６２内の画像データの格納先を削除する。
【００４１】
制御部１１は、通信部１４により、各医療施設の端末装置４Ａ，４Ｂ，・・・からアプリケーションプログラム１６３の取得要求を受信した場合に、通信部１４を制御して、端末装置４Ａ，４Ｂ，・・・に対し、記憶部１６に記憶されているアプリケーションプログラム１６３を送信させる。
【００４２】
制御部１１は、データ管理システム１００内の各医療施設から他の医療施設への検査依頼や読影依頼等を受け付け、他の医療施設に対して検査依頼や読影依頼等を通知する。また、制御部１１は、当該他の医療施設から検査依頼に応じて行われた検査に係る検査データや、読影依頼に応じて行われた読影に係るレポートデータ等を取得し、依頼元の医療施設へ提供する。
【００４３】
制御部１１は、各医療施設の端末装置４Ａ，４Ｂ，・・・においてソフトウェア（後述するアプリケーションプログラム４６１）が使用された場合に、端末装置４Ａ，４Ｂ，・・・からソフトウェアを使用した旨の情報を取得し、施設情報テーブルＴ１の該当する医療施設に対する「ソフト使用回数」を更新する。また、制御部１１は、各医療施設の端末装置４Ａ，４Ｂ，・・・から他の医療施設への検査依頼や読影依頼等を受け付けた場合等、連携サービスが使用された場合に、施設情報テーブルＴ１の該当する医療施設に対する「連携サービス使用回数」を更新する。
【００４４】
制御部１１は、施設情報テーブルＴ１に基づいて、端末装置４Ａ，４Ｂ，・・・のデータ管理システム１００の利用に係る料金を算出する。すなわち、制御部１１は、料金算出手段として機能する。具体的には、制御部１１は、医療施設毎に、施設情報テーブルＴ１の「ソフト使用回数」、「データ保管容量」、「連携サービス使用回数」に応じて従量課金を行う。
なお、「ソフト使用回数」を無制限として定額料金を設定し、「データ保管容量」及び「連携サービス使用回数」については予め定められた上限を超えた分だけ従量課金を行うこととしてもよい。
【００４５】
〔施設内システムの構成〕
次に、施設内システム２Ａを構成する各装置について説明する。
受付装置３Ａは、制御部、操作部、表示部、通信部、ＲＡＭ、記憶部等を備えたコンピュータ装置であり、医療施設Ａに来院した患者の受付処理、会計計算、保険点数計算等を行う。患者が医療施設Ａに来院した際に、受付装置３Ａにおいて、操作部から患者氏名や患者ＩＤ（医療施設Ａ内での患者の識別情報）が入力されると、受付順に受付番号が振られ、受付番号と患者氏名等が対応付けられて記憶部に記憶される。
【００４６】
端末装置４Ａは、検査装置５Ａから画像データを取り込む場合、検査画像を参照する場合、データ管理サーバ１に対して他の医療施設における検査や読影の依頼を行う場合等に用いられる情報処理装置である。
【００４７】
図５に、端末装置４Ａの機能的構成を示す。
図５に示すように、端末装置４Ａは、制御部４１、操作部４２、表示部４３、通信部４４、ＲＡＭ４５、記憶部４６、ＧＷ（GateWay）４７等を備えて構成されており、各部はバス４８により接続されている。
【００４８】
制御部４１は、ＣＰＵ等から構成され、端末装置４Ａの各部の処理動作を統括的に制御する。具体的には、ＣＰＵは、操作部４２から入力される操作信号又は通信部４４により受信される指示信号に応じて、記憶部４６に記憶されている各種処理プログラムを読み出してＲＡＭ４５に展開し、当該プログラムとの協働により各種処理を行う。
【００４９】
操作部４２は、カーソルキー、数字入力キー、及び各種機能キー等を備えたキーボードと、マウス等のポインティングデバイスを備えて構成され、キーボードに対するキー操作やマウス操作により入力された操作信号を制御部４１に出力する。
【００５０】
表示部４３は、ＬＣＤ等のモニタを備えて構成されており、制御部４１から入力される表示信号の指示に従って、各種画面を表示する。
【００５１】
通信部４４は、ネットワークインターフェース等により構成され、施設内ネットワーク７Ａや通信ネットワークＮを介して接続された外部機器との間でデータの送受信を行う。
【００５２】
ＲＡＭ４５は、制御部４１により実行制御される各種処理において、記憶部４６から読み出された各種プログラム、入力若しくは出力データ、及びパラメータ等を一時的に記憶するワークエリアを形成する。
【００５３】
記憶部４６は、ＨＤＤや半導体の不揮発性メモリ等により構成され、各種処理プログラム、当該プログラムの実行に必要なパラメータやファイル等を記憶している。具体的に、記憶部４６には、アプリケーションプログラム４６１、１次ＤＢ４６２等が記憶されている。
【００５４】
アプリケーションプログラム４６１は、端末装置４Ａにおけるデータ管理システム１００の利用に係る処理を実行するためのプログラムであり、データ管理サーバ１からダウンロードされたもの（アプリケーションプログラム１６３）である。
【００５５】
１次ＤＢ４６２には、施設情報テーブルＴ３（図６参照）及び画像情報テーブルＴ４（図７参照）が含まれる。また、１次ＤＢ４６２には、検査装置５Ａから取得された画像データが一時的に格納される。
【００５６】
図６は、１次ＤＢ４６２内の施設情報テーブルＴ３の例である。施設情報テーブルＴ３には、医療施設Ａに関する情報が格納されている。具体的には、施設情報テーブルＴ３には、施設ＩＤ、施設ＰＷ、ユーザＩＤ、ユーザＰＷ、施設名、ユーザ名が格納されている。
【００５７】
図７は、１次ＤＢ４６２内の画像情報テーブルＴ４の例である。画像情報テーブルＴ４には、医療施設Ａで行われた検査に係る画像に関する情報が格納されている。具体的に、画像情報テーブルＴ４には、医療施設Ａの患者ＩＤ、検査ＩＤ、患者氏名、検査日時、画像種、１次ＤＢ有無、センターＤＢ有無、１次ＤＢ保管パス、センターＤＢ保管パスが格納されている。
【００５８】
ＧＷ４７は、検査装置５Ａから画像データ及び当該画像データの付帯情報（患者ＩＤ、検査ＩＤ、患者氏名、検査日時、画像種等）を取得する。すなわち、ＧＷ４７は、取得手段として機能する。なお、付帯情報は、操作部４２から入力されることとしてもよいし、通信部４４により外部から受信されることとしてもよい。
【００５９】
制御部４１は、検査装置５Ａから取得された画像データを記憶部４６の１次ＤＢ４６２に格納するとともに、検査装置５Ａから取得された付帯情報（患者ＩＤ、検査ＩＤ、患者氏名、検査日時、画像種等）に基づいて画像情報テーブルＴ４に新たなレコードを追加する。さらに、制御部１１は、画像情報テーブルＴ４の該当する検査の「１次ＤＢ有無」を「有り」とし、「センターＤＢ有無」を「無し」とし、「１次ＤＢ保管パス」に１次ＤＢ４６２内の画像データの格納先を追加し、「センターＤＢ保管パス」は空欄とする。
【００６０】
制御部４１は、通信部４４を制御して、記憶部４６の１次ＤＢ４６２に記憶された画像データを、データ管理サーバ１が備えるセンターＤＢ１６２に記憶させるために、付帯情報（患者ＩＤ、検査ＩＤ、患者氏名、検査日時、画像種、１次ＤＢ保管パス等）とともに、データ管理サーバ１に送信させる。そして、通信部４４により、画像データがセンターＤＢ１６２に記憶された旨の通知及びセンターＤＢ１６２内の画像データの格納先をデータ管理サーバ１から受信すると、制御部４１は、画像情報テーブルＴ４の該当する検査の「センターＤＢ有無」を「有り」に変更し、「センターＤＢ保管パス」にセンターＤＢ１６２内の画像データの格納先を追加する。
【００６１】
制御部４１は、所定の条件を満たした場合に、記憶部４６の１次ＤＢ４６２に記憶された画像データを１次ＤＢ４６２から削除する。すなわち、制御部４１は、削除手段として機能する。具体的に、制御部４１は、記憶部４６の１次ＤＢ４６２に画像データが記憶されてから予め定められた期間（例えば、１か月、３か月等）が経過した場合に、当該画像データを１次ＤＢ４６２から削除する。ここで、予め定められた期間としては、施設内システム２Ａにおいて通常画像データが参照されると考えられる期間を設定しておくことが望ましい。そして、制御部４１は、画像データを削除した検査について、画像情報テーブルＴ４の「１次ＤＢ有無」を「無し」に変更し、「１次ＤＢ保管パス」から１次ＤＢ４６２内の画像データの格納先を削除する。また、制御部４１は、通信部４４を制御して、画像データを１次ＤＢ４６２から削除した旨の通知をデータ管理サーバ１に送信させる。
【００６２】
制御部４１は、１次ＤＢ４６２とセンターＤＢ１６２とを対象として画像データの検索を行い、１次ＤＢ４６２に記憶されている画像データについては１次ＤＢ４６２から取得し、当該１次ＤＢ４６２から取得した画像データに基づいて表示部４３に画像を表示させ、１次ＤＢ４６２に記憶されていない画像データについてはセンターＤＢ１６２から取得し、当該センターＤＢ１６２から取得した画像データに基づいて表示部４３に画像を表示させる。すなわち、制御部４１は、表示制御手段として機能する。
【００６３】
制御部４１は、記憶部４６に記憶されている、既にダウンロードされているアプリケーションプログラム４６１より新しいアプリケーションプログラム１６３がデータ管理サーバ１に存在する場合には、当該新しいアプリケーションプログラム１６３をデータ管理サーバ１からダウンロードする。すなわち、制御部４１は、プログラム更新手段として機能する。具体的には、制御部４１は、既にダウンロードされているアプリケーションプログラム４６１のバージョン情報と、データ管理サーバ１に存在する最新のアプリケーションプログラム１６３のバージョン情報と、を比較し、既にダウンロードされているアプリケーションプログラム４６１が最新のバージョンでない場合には、通信部４４を制御して、データ管理サーバ１に対し通信ネットワークＮを介して新しいアプリケーションプログラム１６３の取得要求を送信させる。そして、通信部４４により、データ管理サーバ１から通信ネットワークＮを介して新しいアプリケーションプログラム１６３が受信された場合に、制御部４１は、このアプリケーションプログラム１６３をアプリケーションプログラム４６１として記憶部４６に記憶させる。
【００６４】
検査装置５Ａは、患者の診断対象部位を被写体として撮影を行い、撮影した画像をデジタル変換して医用画像を生成する。検査装置５Ａとして、ＣＲ、ＣＴ、ＭＲＩ等が挙げられる。
【００６５】
施設内システム２Ａ以外の施設内システム２Ｂ等についても、施設内システム２Ａと同様の構成であるため、説明を省略する。また、端末装置４Ｂ等については、端末装置４Ａと同様の構成であるため、図５を援用し、説明を省略する。
【００６６】
〔データ管理システムにおける動作〕
次に、データ管理システム１００における動作について説明する。
【００６７】
（アプリケーション起動時処理）
図８は、施設内システム２Ａの端末装置４Ａにより実行されるアプリケーション起動時処理を示すフローチャートである。この処理は、制御部４１と記憶部４６に記憶されているアプリケーションプログラム４６１との協働によるソフトウェア処理によって実現される。
【００６８】
まず、制御部４１により、記憶部４６に記憶されているダウンロード済みのアプリケーションプログラム４６１のバージョン情報が取得される（ステップＳ１）。
【００６９】
次に、制御部４１により、通信ネットワークＮを介してデータ管理サーバ１の所定のＵＲＬ（Uniform Resource Locator）にアクセスが行われる（ステップＳ２）。具体的には、制御部４１により、通信部４４が制御され、所定のＵＲＬがデータ管理サーバ１に送信される。
【００７０】
データ管理サーバ１では、通信部１４により、所定のＵＲＬが受信されると、制御部１１により、記憶部１６に記憶されている最新のアプリケーションプログラム１６３のバージョン情報が読み出され、通信部１４により、通信ネットワークＮを介して最新のアプリケーションプログラム１６３のバージョン情報が端末装置４Ａに送信される。
【００７１】
端末装置４Ａでは、制御部４１により、通信部４４を介して、データ管理サーバ１から最新のアプリケーションプログラム１６３のバージョン情報が取得される（ステップＳ３）。
【００７２】
ここで、制御部４１により、ステップＳ１で取得されたダウンロード済みのアプリケーションプログラム４６１のバージョン情報と、ステップＳ３で取得された最新のアプリケーションプログラム１６３のバージョン情報と、に基づいて、ダウンロード済みのアプリケーションプログラム４６１が最新のバージョンであるか否かが判断される（ステップＳ４）。ダウンロード済みのアプリケーションプログラム４６１が最新のバージョンでない場合（ステップＳ４；ＮＯ）、すなわち、既にダウンロードされているアプリケーションプログラム４６１より新しいアプリケーションプログラム１６３がデータ管理サーバ１に存在する場合には、制御部４１により、データ管理サーバ１から最新のアプリケーションプログラム１６３がダウンロードされる（ステップＳ５）。具体的には、制御部４１により、通信部４４が制御され、データ管理サーバ１に対し通信ネットワークＮを介して新しいアプリケーションプログラム１６３の取得要求が送信される。そして、通信部４４により、データ管理サーバ１から通信ネットワークＮを介して新しいアプリケーションプログラム１６３が受信された場合に、制御部４１により、このアプリケーションプログラム１６３がアプリケーションプログラム４６１として記憶部４６に記憶される。
【００７３】
ステップＳ４において、ダウンロード済みのアプリケーションプログラム４６１が最新のバージョンである場合（ステップＳ４；ＹＥＳ）、又は、ステップＳ５の後、制御部４１により、アプリケーションプログラム４６１が起動される（ステップＳ６）。
【００７４】
次に、制御部４１により、記憶部４６の１次ＤＢ４６２と、データ管理サーバ１の記憶部１６のセンターＤＢ１６２と、にアクセスが行われる（ステップＳ７）。１次ＤＢ４６２とセンターＤＢ１６２との両方にアクセスが成功した場合には（ステップＳ８；ＯＫ）、制御部４１により、表示部４３にログイン画面が表示される（ステップＳ９）。
【００７５】
一方、１次ＤＢ４６２とセンターＤＢ１６２とのいずれかに対してアクセスが失敗した場合には（ステップＳ８；ＮＧ）、制御部４１により、表示部４３にエラーが発生した旨が表示される（ステップＳ１０）。
以上で、アプリケーション起動時処理が終了する。
【００７６】
（画像取り込み処理）
図９は、施設内システム２Ａの端末装置４Ａにより実行される画像取り込み処理を示すフローチャートである。この処理は、制御部４１と記憶部４６に記憶されているアプリケーションプログラム４６１との協働によるソフトウェア処理によって実現される。
【００７７】
まず、表示部４３に表示されているログイン画面において、操作部４２からの操作により、ユーザＩＤ及びユーザＰＷが入力され、ログインが行われる（ステップＳ１１）。制御部４１により、１次ＤＢ４６２の施設情報テーブルＴ３が参照され、入力されたユーザＩＤ及びユーザＰＷと、施設情報テーブルＴ３内のユーザＩＤ及びユーザＰＷと、が一致した場合に、使用が許可される。
【００７８】
次に、制御部４１により、記憶部４６の１次ＤＢ４６２と、データ管理サーバ１の記憶部１６のセンターＤＢ１６２と、にアクセスが行われ、検索条件に合致した情報に基づいて、表示部４３にリスト画面が表示される（ステップＳ１２）。
【００７９】
図１０に、受付患者リスト画面４３１の例を示す。受付患者リスト画面４３１には、医療施設Ａでその日に受付処理を済ませた患者のリストが表示される。具体的には、制御部４１により、受付装置３Ａからその日に受付処理を済ませた患者の患者ＩＤ及び受付番号が取得され、取得された患者ＩＤに基づいて、記憶部４６の１次ＤＢ４６２と、データ管理サーバ１の記憶部１６のセンターＤＢ１６２と、から該当する患者情報が取得される。そして、制御部４１により、取得された患者情報に基づいて、表示部４３に受付患者リスト画面４３１が表示される。受付患者リスト画面４３１の患者情報表示領域５１には、リスト上で選択された患者５２の患者情報が表示される。
【００８０】
次に、表示部４３に表示されているリスト画面において、操作部４２からの操作により、患者が選択される（ステップＳ１３）。例えば、図１０に示す受付患者リスト画面４３１において、いずれかの患者が選択され、ビューア画面表示ボタン５３が押下されると、制御部４１により、表示部４３に図１１に示すビューア画面４３２が表示され、画像の取り込みのスタンバイ状態となる（ステップＳ１４）。
【００８１】
次に、ＧＷ４７により、検査装置５Ａから画像データが取得され（ステップＳ１５）、制御部４１により、検査装置５Ａから取得された画像データが記憶部４６の１次ＤＢ４６２に格納される（ステップＳ１６）。また、ＧＷ４７により、検査装置５Ａから付帯情報（患者ＩＤ、検査ＩＤ、患者氏名、検査日時、画像種等）が取得される。そして、制御部４１により、付帯情報（患者ＩＤ、検査ＩＤ、患者氏名、検査日時、画像種等）が画像情報テーブルＴ４に格納され、画像情報テーブルＴ４の「１次ＤＢ有無」は「有り」とされ、「センターＤＢ有無」は「無し」とされ、「１次ＤＢ保管パス」には１次ＤＢ４６２内の画像データの格納先が追加され、「センターＤＢ保管パス」は空欄とされる。
【００８２】
次に、制御部４１により、取得された画像データに基づいて、表示部４３に画像が表示される（ステップＳ１７）。例えば、図１１に示すビューア画面４３２において、操作部４２からの操作により、ＣＲ取り込みボタン６１が押下されると、ＧＷ４７により、検査装置５Ａから画像データ及び付帯情報が取得され、制御部４１により、ビューア画面４３２の画像表示領域６２に画像が表示される。
【００８３】
また、画像データが１次ＤＢ４６２に格納されると、制御部４１により、通信部４４が制御され、データ管理サーバ１の記憶部１６のセンターＤＢ１６２にバックアップするために、当該画像データがデータ管理サーバ１に送信される（ステップＳ１８）。この際、付帯情報（患者ＩＤ、検査ＩＤ、患者氏名、検査日時、画像種、１次ＤＢ保管パス等）もデータ管理サーバ１に送信される。ステップＳ１８の処理は、１次ＤＢ４６２とセンターＤＢ１６２に格納されている画像データを常時（例えば、３秒間隔で）比較し、１次ＤＢ４６２に新しい画像データが格納されたことを検知すると、データのコピーを開始する常駐プログラムを稼動させておくことにより、実現する。通信部４４により、画像データがセンターＤＢ１６２に記憶された旨の通知及びセンターＤＢ１６２内の画像データの格納先がデータ管理サーバ１から受信されると、制御部４１により、画像情報テーブルＴ４の該当する検査の「センターＤＢ有無」が「有り」に変更され、「センターＤＢ保管パス」にセンターＤＢ１６２内の画像データの格納先が追加される。
【００８４】
ステップＳ１７及びステップＳ１８の後、制御部４１により、１次ＤＢ４６２内に画像データが格納されてから所定期間が経過したか否かが判断される（ステップＳ１９）。１次ＤＢ４６２内に画像データが格納されてから所定期間が経過した場合には（ステップＳ１９；ＹＥＳ）、制御部４１により、この画像データが１次ＤＢ４６２から削除される（ステップＳ２０）。そして、制御部４１により、画像情報テーブルＴ４の該当する検査の「１次ＤＢ有無」が「無し」に変更され、「１次ＤＢ保管パス」から１次ＤＢ４６２内の画像データの格納先が削除される。また、制御部４１により、通信部４４が制御され、画像データを１次ＤＢ４６２から削除した旨の通知がデータ管理サーバ１に送信される。
以上で、画像取り込み処理が終了する。
【００８５】
（画像表示処理）
図１２は、施設内システム２Ａの端末装置４Ａにより実行される画像表示処理を示すフローチャートである。この処理は、制御部４１と記憶部４６に記憶されているアプリケーションプログラム４６１との協働によるソフトウェア処理によって実現される。
【００８６】
まず、表示部４３に表示されているログイン画面において、操作部４２からの操作により、ユーザＩＤ及びユーザＰＷが入力され、ログインが行われる（ステップＳ２１）。
【００８７】
次に、制御部４１により、記憶部４６の１次ＤＢ４６２と、データ管理サーバ１の記憶部１６のセンターＤＢ１６２と、にアクセスが行われ、検索条件に合致した情報に基づいて、表示部４３にリスト画面が表示される（ステップＳ２２）。
【００８８】
次に、表示部４３に表示されているリスト画面において、操作部４２からの操作により、患者が選択される（ステップＳ２３）。
【００８９】
次に、制御部４１により、記憶部４６の１次ＤＢ４６２と、データ管理サーバ１の記憶部１６のセンターＤＢ１６２と、にアクセスが行われる（ステップＳ２４）。１次ＤＢ４６２又はセンターＤＢ１６２に、選択された患者の画像データがある場合には（ステップＳ２５；ＹＥＳ）、制御部４１により、選択された患者の画像データが１次ＤＢ４６２に存在するか否かが判断される（ステップＳ２６）。具体的には、制御部４１により、１次ＤＢ４６２の画像情報テーブルＴ４において、選択された患者の各検査の「１次ＤＢ有無」の欄が参照され、「有り」の場合には１次ＤＢ４６２に画像データが存在すると判断され、「無し」の場合には１次ＤＢ４６２に画像データが存在しないと判断される。
【００９０】
選択された患者の画像データが１次ＤＢ４６２に存在する場合には（ステップＳ２６；ＹＥＳ）、制御部４１により、画像情報テーブルＴ４の該当する検査の「１次ＤＢ保管パス」の欄が参照され、１次ＤＢ４６２から画像データが取得される（ステップＳ２７）。
【００９１】
一方、選択された患者の画像データが１次ＤＢ４６２に存在しない場合には（ステップＳ２６；ＮＯ）、制御部４１により、画像情報テーブルＴ４の該当する検査の「センターＤＢ保管パス」の欄が参照され、センターＤＢ１６２から画像データが取得される（ステップＳ２８）。具体的には、制御部４１により、通信部４４が制御され、データ管理サーバ１に対し通信ネットワークＮを介してセンターＤＢ保管パスで指定された画像データの取得要求が送信される。
【００９２】
データ管理サーバ１では、制御部１１により、指定されたセンターＤＢ保管パスに対応する画像データがセンターＤＢ１６２から読み出され、通信部１４により、読み出された画像データが端末装置４Ａに送信される。
端末装置４Ａでは、通信部４４により、データ管理サーバ１から送信された画像データが受信される。
【００９３】
ステップＳ２７又はステップＳ２８の後、選択された患者の他の画像データがある場合には（ステップＳ２９；ＹＥＳ）、ステップＳ２６に戻り、他の画像データについて、処理が繰り返される。ステップＳ２９において、選択された患者の他の画像データがない場合には（ステップＳ２９；ＮＯ）、制御部４１により、取得された一又は複数の画像データに基づいて、表示部４３のビューア画面に画像が表示される（ステップＳ３０）。
【００９４】
図１３に、ビューア画面４３３の例を示す。画像表示領域７１には、１次ＤＢ４６２から取得された画像データに基づく画像が表示されている。画像表示領域７２，７３には、センターＤＢ１６２から取得された画像データに基づく画像が表示されている。センターＤＢ１６２から取得された画像データに基づく画像については、１次ＤＢ４６２から取得された画像データに基づく画像と識別可能なように、センターＤＢマーク７４，７５が表示される。
また、データ管理サーバ１において、予め画像データに対してデータ圧縮又は解像度の間引き処理等を行って圧縮画像を生成しておき、端末装置４ＡからセンターＤＢ１６２内の画像データを取得する際に、まず圧縮画像を取得して表示することとしてもよい。
【００９５】
ステップＳ２５において、１次ＤＢ４６２及びセンターＤＢ１６２のいずれにも、選択された患者の画像データがない場合には（ステップＳ２５；ＮＯ）、そのまま処理が終了する。
以上で、画像表示処理が終了する。
【００９６】
（料金算出処理）
図１４は、データ管理サーバ１により実行される料金算出処理を示すフローチャートである。この処理は、医療施設それぞれに対して行われる処理であり、制御部１１と記憶部１６に記憶されているサーバプログラム１６１との協働によるソフトウェア処理によって実現される。
【００９７】
まず、制御部１１により、料金の算出タイミングであるか否かが判断される（ステップＳ３１）。例えば、毎月定められた日に、料金を算出するよう予め定められている。
【００９８】
料金の算出タイミングである場合には（ステップＳ３１；ＹＥＳ）、制御部１１により、センターＤＢ１６２の施設情報テーブルＴ１から、対象となる医療施設のソフト使用回数、データ保管容量、連携サービス使用回数が取得される（ステップＳ３２）。そして、制御部１１により、取得されたソフト使用回数、データ保管容量、連携サービス使用回数に基づいて、対象となる医療施設（端末装置４Ａ，４Ｂ，・・・）におけるデータ管理システム１００の利用料金が算出される（ステップＳ３３）。例えば、ソフト使用回数が増加するほど料金が加算され、データ保管容量が増加するほど料金が加算され、連携サービス使用回数が増加するほど料金が加算されることとする。ただし、利用料金の算出方法については、これに限定されない。
以上で、料金算出処理が終了する。
【００９９】
以上説明したように、本実施の形態によれば、端末装置４Ａ，４Ｂ，・・・において、１次ＤＢ４６２に記憶されている画像データについては１次ＤＢ４６２から取得し、１次ＤＢ４６２に記憶されていない画像データ（所定期間が経過し、１次ＤＢ４６２から削除された画像データ）についてはセンターＤＢ１６２から取得するので、画像の表示に要する時間を抑えることができ、診断効率の低下を防ぐことができる。通常、検査により得られた画像データは、検査の直後に参照される場合が多いため、所定期間は１次ＤＢ４６２に残すことで、高速な通信環境でない場合であっても、速やかに画像を表示することができる。
【０１００】
また、端末装置４Ａ，４Ｂ，・・・は、既にダウンロードされているアプリケーションプログラム４６１より新しいアプリケーションプログラム１６３がデータ管理サーバ１に存在する場合に、その新しいアプリケーションプログラム１６３をデータ管理サーバ１から自動的にダウンロードするので、常に最新のアプリケーションプログラムを使用することができるとともに、ユーザの手間を軽減させることができる。
【０１０１】
また、データ管理サーバ１において、端末装置４Ａ，４Ｂ，・・・におけるデータ管理システム１００の利用に応じて料金を算出することができる。
【０１０２】
なお、上記実施の形態における記述は、本発明に係るデータ管理システムの例であり、これに限定されるものではない。システムを構成する各装置の細部構成及び細部動作に関しても本発明の趣旨を逸脱することのない範囲で適宜変更可能である。
【０１０３】
例えば、上記実施の形態では、端末装置４Ａ，４Ｂ，・・・において、１次ＤＢ４６２に画像データが記憶されてから所定期間が経過した場合に、当該画像データを１次ＤＢ４６２から削除することとしたが、記憶部４６に記憶されているデータのデータ量が当該記憶部４６の記憶容量に達した場合（あるいは、１次ＤＢ４６２内のデータ量が１次ＤＢ４６２として使用可能な所定の記憶容量に達した場合）に、１次ＤＢ４６２に格納された時期が古い画像データから順次削除することとしてもよい。
【０１０４】
以上の説明では、各処理を実行するためのプログラムを格納したコンピュータ読み取り可能な媒体としてＨＤＤや不揮発性メモリを使用した例を開示したが、この例に限定されない。その他のコンピュータ読み取り可能な媒体として、ＣＤ−ＲＯＭ等の可搬型記録媒体を適用することも可能である。また、プログラムのデータを通信回線を介して提供する媒体として、キャリアウェーブ（搬送波）を適用することとしてもよい。
【産業上の利用可能性】
【０１０５】
本発明に係る情報処理装置及びデータ管理システムは、検査装置から取得された画像データを管理する医療分野において利用可能性がある。
【符号の説明】
【０１０６】
１  データ管理サーバ
２Ａ，２Ｂ  施設内システム
３Ａ，３Ｂ  受付装置
４Ａ，４Ｂ  端末装置
５Ａ，５Ｂ  検査装置
６Ａ，６Ｂ  ルータ
７Ａ，７Ｂ  施設内ネットワーク
１１  制御部
１２  操作部
１３  表示部
１４  通信部
１５  ＲＡＭ
１６  記憶部
１７  バス
４１  制御部
４２  操作部
４３  表示部
４４  通信部
４５  ＲＡＭ
４６  記憶部
４７  ＧＷ
４８  バス
１００  データ管理システム
１６１  サーバプログラム
１６２  センターＤＢ
１６３  アプリケーションプログラム
４６１  アプリケーションプログラム
４６２  １次ＤＢ
Ｎ  通信ネットワーク
【図１】
2012081405.tif 000003
【図２】
2012081405.tif 000004
【図３】
2012081405.tif 000005
【図４】
2012081405.tif 000006
【図５】
2012081405.tif 000007
【図６】
2012081405.tif 000008
【図７】
2012081405.tif 000009
【図８】
2012081405.tif 000010
【図９】
2012081405.tif 000011
【図１０】
2012081405.tif 000012
【図１１】
2012081405.tif 000013
【図１２】
2012081405.tif 000014
【図１３】
2012081405.tif 000015
【図１４】
2012081405.tif 000016
【国際調査報告】
2012081405.tif 000017
2012081405.tif 000018